(57)【要約】【課題】  採果や摘果作業用の、全体として小さな鋏であって、繊細な指の動きだけで切断作業を行うことができる鋏を提供する。【解決手段】中間部分を支持軸７によって軸支し、常時開放する方向に付勢する一対の刃体１,２の開閉操作によって被切断物を切断する鋏において、一方の刃体１の基部に刃体１の延長方向と交差する下方向に親指以外の指を掛けることができる指掛け部４を配置した支持杆３を設ける。また、他方の刃体２の基部に刃体２の延長方向に、親指で押圧することができる押圧部５を設ける。これにより、親指以外の複数の指で支持杆３を支持し、親指の指先による押圧部５の押圧操作だけで刃体１,２を開閉させ、切断作業を行うことができる。【選択図】  図１
2005058606.tif 000002
【特許請求の範囲】
【請求項１】
中間部分を軸支し、常時開放する方向に付勢する一対の刃体の開閉操作によって被切断物を切断する鋏において、一方の刃体の基部に刃体の延長方向と交差する下方向に親指以外の指を掛けるための指掛け部を配置した支持杆を設けるとともに、他方の刃体の基部に刃体の延長方向に親指で押圧するための押圧部を設けたことを特徴とする鋏。
【請求項２】
刃体の延長方向と交差する下方向に形成する支持杆に、一本の指を通すことができる環状部を形成したことを特徴とする請求項１記載の鋏。
【請求項３】
刃体の延長方向と交差する下方向に形成する支持杆の前面もしくは背面のいずれか一方の面に上下二つの指掛け部分を形成するとともに、前面もしくは背面のいずれか他方の面に、前記上下二つの指掛け部分の中間に位置させて一つの指掛け部分を形成したことを特徴とする請求項１記載の鋏。
【請求項４】
支持杆の背面上部と押圧部との間に、両者を係脱する係止手段を設けたことを特徴とする請求項１ないし３のいずれかに記載の鋏。
【発明の詳細な説明】
【技術分野】
【０００１】
この発明は、主として採果、摘果、芽摘みなどの園芸作業や、狭い場所の小さなものを切断するのに便利な鋏に関する発明である。
【背景技術】
【０００２】
一対の刃体を片手で開閉操作して切断する園芸用鋏その他の鋏は、刃体の延長方向に把持部を形成し、この把持部を手で握る操作によって刃体を開閉させて切断作業を行うのが普通である。そして、切断の用途に応じて、鋏全体の大きさや刃体の長さ、形状が種々工夫されている。
【０００３】
園芸用鋏として、枝を切断するための比較的大きな剪定鋏が知られている。また、比較的小さなものを切断する鋏として、特許文献１に開示されるような採果鋏などが知られている。特許文献１に開示される採果鋏は、果実の軸のみを切断する目的で使用されるため、刃体を反らせて果実を傷つけずに使用する使用することができる。
【特許文献１】特開２０００−６０３０４
【発明の開示】
【発明が解決しようとする課題】
【０００４】
従来の鋏は、刃体の延長方向に形成される把持部を手で握って開閉操作を行うものであるため、例えば特許文献１に記載されている採果鋏のように、小さな刃体の鋏であっても全体として大きなものとなる欠点があった。そして、例え大きな切断力を必要としない小さなものを切断する場合であっても手の握り操作で切断作業を行うため、こまやかな操作が行いにくいものであった。
このような従来技術の欠点に鑑み、本発明は従来の把持柄部分をなくし、全体として小さな鋏を実現することを目的とするものである。また、細かな作業を行う場合は、手全体の握り操作よりも手指の動きだけで作業を行うほうが繊細な作業を行えることに鑑み、親指の動きだけで切断作業を行うことができる鋏を提供することを目的とするものである。
【課題を解決するための手段】
【０００５】
上記目的を達成するため請求項１記載の発明は、中間部分を軸支し、常時開放する方向に付勢する一対の刃体１,２の開閉操作によって被切断物を切断する鋏において、一方の刃体１の基部に刃体の延長方向と交差する下方向に親指以外の指を掛けるための指掛け部４を配置した支持杆３を設けるとともに、他方の刃体２の基部に刃体の延長方向に親指で押圧するための押圧部５を設けるものである。
【０００６】
請求項２記載の発明は、刃体１の延長方向と交差する下方向に形成する支持杆３に、一本の指を通すことができる環状部６を形成したものである。
【０００７】
請求項３記載の発明は、刃体１の延長方向と交差する下方向に形成する支持杆３の前面もしくは背面のいずれか一方の面に上下二つの指掛け部分４,４を形成するとともに、前面もしくは背面のいずれか他方の面に、前記上下二つの指掛け部分の中間に位置させて一つの指掛け部分４を形成したものである。
【０００８】
請求項４記載の発明は、支持杆３の背面上部と押圧部５との間に、両者を係脱する係止手段を設けるものである。これにより、一対の刃体１,２を閉じた状態に維持することができるようにする。
【発明の効果】
【０００９】
請求項１記載の発明によれば、支持杆３に親指以外の複数の指を掛け、押圧部５を親指の指先で動かすことによって刃体１,２の開閉操作、すなわち切断作業を行うことができる。この操作は、親指の指先を動かすだけの操作であるため、採果作業や摘果作業に際して、繊細でこまやかな作業を行うことができる効果がある。また、鋏全体として小さな鋏を実現し、取り扱いに都合が良い。
【００１０】
請求項２記載の発明によれば、環状部６を形成し、該環状部に一本の指に通して鋏全体を保持することができる。したがって、鋏を持った手で別の作業をも行うことができ、従来のように一々鋏を別の場所にしまってから別の作業に移るといった煩わしさがなく、能率的に作業を進めることができる効果がある。
【００１１】
請求項３記載の発明によれば、親指以外の指先で支持杆３を挟み込むように支持し、鋏全体を安定良く支持することができる。これにより、切断作業に際して鋏全体が安定し、正確な切断作業を行うことができる効果がある。
【００１２】
請求項４記載の発明によれば、支持杆３の背面上部と押圧部５との間に、両者を係脱する係止手段を設けることによって、鋏を閉じた状態に保持することができる。刃体を閉じた状態に保持する係止手段を設けることは、従来の鋏においても行われていることであるが、本発明では環状部６に一本の指を通して鋏全体を保持する場合に安全で取り扱いが容易になるとともに、支持杆３の背面上部に係止手段を設けることによって、鋏の操作に邪魔になることがない。
【発明を実施するための最良の形態】
【００１３】
以下、本発明に係る鋏の好ましい実施形態を添付の図面に基づいて説明する。
図１は、本発明に係る鋏の実施形態を示すものであって、刃体を開いた状態の正面図、図２は刃体を閉じた状態の正面図、図３は使用状態を示す正面図である。図４及び図５はそれぞれ別の実施形態を示す正面図である。
【００１４】
本発明に係る鋏は、支持軸７によって一対の刃体１及び２を軸支し、その開閉操作によって切断作業を行うものであるが、一対の刃体１及び２は、バネ８によって常時開放する方向に付勢されている。刃体１及び２には、支持軸７よりも先方に切刃1a及び2aを形成するとともに、支持軸７よりも基方に操作部分を形成している。
【００１５】
従来の鋏においては、支持軸よりも基方の操作部分として、一対の刃体のそれぞれに刃体の延長方向に把持部が形成され、これを握り締めることによって一対の刃体を開閉させることができるものである。これに対し、本発明では一方の刃体１の基部に支持杆３を、他方の刃体２の基部に押圧部５を形成する。
【００１６】
一方の刃体１の基部に形成する支持杆３は、刃体１の延長方向と交差する方向、すなわち基端部から下方向に延長させて形成するとともに、他方の刃体２の基部に形成する押圧部５は、刃体２の延長方向に形成する。刃体１に形成する支持杆３は、少なくとも親指以外の複数の指を掛けることができるようにする。図１に示す実施形態においては、支持杆３全体を略倒Ｕ字状に形成して、前方に位置する縦辺3aに一箇所、後方に位置する縦辺3bの前面に二箇所の指掛け部４,４を形成している。指掛け部４の具体的な形状は任意であるが、図示例１に示す実施形態では凹み形状として指掛け部４をしている。さらに、後方に位置する縦辺3bの中間位置から前方に向けて突出部辺3cを形成し、該突出辺3cの先端を前方に位置する縦辺3aまで達する、もしくは接近する位置まで延長させることによって、一本の指を通すことができる環状部６を形成している。
【００１７】
他方の刃体２の基部に形成する押圧部５は刃体２の延長方向に形成し、かつ親指で上方から下方に向けて押圧することができる形状としている。
支持杆３の背面肩部、具体的には後方に位置する縦辺3bの上部に係止具９を配置している。係止具９は、回動自在な環状片であって、図２に示すように刃体を閉じた状態で押圧部５に係合させ、刃体１と２が開かないように係止するものである。係止具９の具体的な形状や構造は任意である。要は、刃体１と２が開かないように係止することができるとともに、刃体の開閉操作の邪魔にならないものであればよい。
【００１８】
上記、図１及び図２に示す実施形態の鋏は、図３に示す状態で使用することができる。すなわち、支持杆３を親指以外の指で支持し、親指で押圧部５を押圧する操作と、親指による押圧を解除する操作によって一対の刃体１及び２の開閉操作を行う。親指以外の指で支持杆３を支持したときに、バネ８によって一対の刃体が開放される方向に付勢されているため、該バネ８の弾性に抗して親指で押圧片を押圧すると、鋏全体を保持することができる。
【００１９】
支持杆３を親指以外の指で支持する方法は任意であるが、図３に示す使用状態では、後方に位置する縦辺3bの下端部に小指を掛けるようにしている。そして、人差し指と中指及び薬指は前方から後方に向けて力が作用するものであって、小指による支えは後方から前方に力が作用するものである。したがって、この状態では、親指による押圧の有無に関わらず四本の指で鋏全体を安定良く支持することができるものである。刃体による切断作業を行わない場合は、図２に示すように係止具９を押圧部５に係合させ、刃体を閉じた状態に維持させ、環状部６に一本の指を通して保持することによって別の作業を行うことができる。
【００２０】
支持杆３の形状は、親指以外の指で保持することができるものであれば、任意の形状に設計することができる。図４に示す実施形態の支持杆３は、一本の棒状に垂下させたものであって、前面にのみ凹ませた指掛け部４,４を形成している。図示例では、背面に指掛け部を全く形成していないが、例えば背面側下端に小指の指掛け部を形成するものであってもよい。図４に示す実施形態では、支持杆３の前方にのみ指掛け部４を形成するものであるから、親指以外の指によって支持杆３に作用する力は、前方から後方に働くものである。したがって、この実施形態では、親指以外の指による前方から後方への力と、親指による押圧部５への押圧力とのバランスによって鋏が保持される。
【００２１】
図５に示す実施形態の支持杆３の形状は、一本の棒状の支持杆を垂下させるものであるが、その前面側と背面側の両方に凹み形状の指掛け部４を形成している。前面側に形成する指掛け部４,４は、人差し指と薬指の二本の指を掛けることができるように上下に配置するとともに、背面に形成する指掛け部４は、中指を掛けることができるように前面に形成する二つの指掛け部の中間に位置させている。この実施形態では、親指以外の指による支持杆３の支持が、前面側と背面側の両方から挟むように支持することになるため、親指に関係なく親指以外の指で鋏全体を安定よく支持することができるものである。したがって、切断作業に際して鋏がより安定し、細かな切断作業に際して鋏が安定する。
【００２２】
以上述べたように、支持杆３の形状は任意に設計することができるものである。少なくとも、親指以外の指で図面上左右方向に支持できるのであればよい。一方、押圧部５は、親指の指先によって、図面の上から下方向に押圧することができる形状であればどのような形状に形成してもよい。要するに、片手の指の自然な指先の動き方向と一致する動き、具体的には親指以外の指による図面上の左右方向の力と、親指による上下方向の力によって、一対の刃体の開閉操作を行うことができる形状のものであればよい。
【図面の簡単な説明】
【００２３】
【図１】図１は、本発明に係る鋏の実施形態を示す、刃体を開いた状態の正面図、
【図２】図２は、図１に示す実施形態を示すものであって、刃体を閉じた状態の正面図、
【図３】図３は、図１に示す実施形態の鋏の使用状態を示す正面図、
【図４】図４は、別の実施形態を示す正面図、
【図５】図５はさらに別の実施形態を示す正面図。
【符号の説明】
【００２４】
１,２…刃体、  1a，2a…切刃、  ３…支持杆、  ４…指掛け部、  ５…押圧部、  ６…環状部、  ７…支持軸、  ８…バネ、  ９…係止具。
【図１】
2005058606.tif 000003
【図２】
2005058606.tif 000004
【図３】
2005058606.tif 000005
【図４】
2005058606.tif 000006
【図５】
2005058606.tif 000007